(57)【要約】【課題】冷媒コンテナからデュワに冷媒を供給する場合に、コンテナに溜まったコンタミの吸い込を防止できるトランスファライン装置を実現する。【解決手段】冷媒が貯蔵され底部にコンタミが滞留するコンテナと、このコンテナに一端が挿入され他端がデュワに挿入されたトランスファラインとを具備するトランスファライン装置において、前記トランスファラインに設けられ前記コンタミの滞留位置より上部に吸入口を有して前記コンタミの前記トランスファラインへの吸入を防止するコンタミ吸入防止手段を具備したことを特徴とするトランスファライン装置である。【選択図】図１
2010235182.tif 000002
【特許請求の範囲】
【請求項１】
冷媒が貯蔵され底部にコンタミが滞留するコンテナと、このコンテナに一端が挿入され他端がデュワに挿入されたトランスファラインとを具備するトランスファライン装置において、
前記トランスファラインに設けられ前記コンタミの滞留位置より上部に吸入口を有して前記コンタミの前記トランスファラインへの吸入を防止するコンタミ吸入防止手段
を具備したことを特徴とするトランスファライン装置。
【請求項２】
前記コンタミ吸入防止手段は、前記トランスファラインの前記一端に一端が接続された吸入ブロックと、
前記コンタミの滞留位置より上部の前記吸入ブロックに水平に貫通して設けられた第１の吸入孔と、
この第１の吸入孔の途中に一端が接続され他端が前記トランスファラインに連通する第２の吸入孔と
を具備したことを特徴とする請求項１記載のトランスファライン装置。
【請求項３】
前記コンタミ吸入防止手段は、前記トランスファラインの前記一端に設けられ吸入を封止する封止ブロックと、
前記コンタミの滞留位置より上部の前記トランスファラインの前記一端側に設けられ前記トランスファラインの軸に直交して貫通して設けられた第３の吸入孔と
を具備したことを特徴とする請求項１記載のトランスファライン装置。
【発明の詳細な説明】
【技術分野】
【０００１】
本発明は、トランスファライン装置に関するものである。
更に詳述すれば、例えば、デュワにヘリウム等の冷媒を供給する場合に使用されるトランスファライン装置に関するものである。
更に詳しくは、トランスファライン装置に侵入するコンタミを防止する装置に関するものである。
【背景技術】
【０００２】
図３は従来より一般に使用されている従来例の要部構成説明図で、ヘリウムなどの超低温の液状の冷媒を、冷媒コンテナからデュワに供給する際の配管図である。
図において、トランスファライン１０は、コンテナ側トランスファライン１１とデュワ側トランスファライン１４とを有する。
コンテナ側トランスファライン１１は、冷媒１２が貯蔵された冷媒コンテナ１３に一端が挿入され、外管１１１と内管１１２との二重管よりなる。
【０００３】
外管１１１と内管１１２との間は、真空に保たれている。
コンテナ側トランスファライン１１の先端には延長管１１３が取り付けられている。
延長管１１３は、長さが自由に選択でき、大きさが異なる冷媒コンテナ１３に対応できるようにコンテナ側トランスファライン１１の先端に接続されている。
延長管１１３は、一重管で構成されており、先端の穴は下向きに開いている。
【０００４】
デュワ側トランスファライン１４は、デュワ１５に一端が挿入され、外管１４１と内管１４２との二重管よりなる。
外管１４１と内管１４２との間は、真空に保たれている。
即ち、トランスファライン１１は真空断熱部をもつ真空２重管１１１、１１２で構成され、トランスファライン１４は真空断熱部をもつ真空２重管１４１、１４２で構成されている。
【０００５】
バヨネット１６は、コンテナ側トランスファライン１１の他端とデュワ側トランスファライン１４の他端とを連結する。
加圧ガス管１７は、冷媒コンテナ１３に設けられている。
排気管１８は、デュワ１５に設けられている。
【０００６】
以上の構成において、冷媒１２の移送は、トランスファライン１１、１４をバヨネットと呼ばれる接合口１６で接続し、冷媒コンテナ１３に、加圧ガス管１７から加圧ガスで圧力を加え押し出すことで行われる。
即ち、冷媒１２が押し出されてトランスファライン１６、１４を通ってデュワ１５に供給される。
【先行技術文献】
【特許文献】
【０００７】
【特許文献１】実開平０５−００３２００号公報
【特許文献２】特開平０５−０７９７１８号公報
【特許文献３】特開平０９−１０７１３１号公報
【特許文献４】特開２００３−２５４６５３号公報
【特許文献５】特開２００６−１０５５３３号公報
【発明の概要】
【発明が解決しようとする課題】
【０００８】
このような装置においては、以下の問題点がある。
延長管は、一重管で構成されており、吸い込み口の先端の穴は、下向きに開いている。  そのため冷媒コンテナの底に溜まった汚れであるコンタミをトランスファラインに吸い込んでしまい、コンタミが冷媒移送の妨げとなり、移送効率が下がる、または、最悪の場合は、トランスファラインが閉塞して移送ができなくなる。
コンタミとしては、主に水、窒素、酸素が凍った氷などがある。
【０００９】
本発明の目的は、上記の課題を解決するもので、冷媒コンテナからデュワに冷媒を供給する場合に、コンテナに溜まったコンタミの吸い込を防止できるトランスファライン装置を提供することにある。
【課題を解決するための手段】
【００１０】
このような課題を達成するために、本発明では、請求項１のトランスファライン装置においては、
冷媒が貯蔵され底部にコンタミが滞留するコンテナと、このコンテナに一端が挿入され他端がデュワに挿入されたトランスファラインとを具備するトランスファライン装置において、前記トランスファラインに設けられ前記コンタミの滞留位置より上部に吸入口を有して前記コンタミの前記トランスファラインへの吸入を防止するコンタミ吸入防止手段を具備したことを特徴とする。
【００１１】
本発明の請求項２のトランスファライン装置においては、請求項１記載のトランスファライン装置において、
前記コンタミ吸入防止手段は、前記トランスファラインの前記一端に一端が接続された吸入ブロックと、前記コンタミの滞留位置より上部の前記吸入ブロックに水平に貫通して設けられた第１の吸入孔と、この第１の吸入孔の途中に一端が接続され他端が前記トランスファラインに連通する第２の吸入孔とを具備したことを特徴とする。
【００１２】
本発明の請求項３のトランスファライン装置においては、請求項１記載のトランスファライン装置において、
前記コンタミ吸入防止手段は、前記トランスファラインの前記一端に設けられ吸入を封止する封止ブロックと、前記コンタミの滞留位置より上部の前記トランスファラインの前記一端側に設けられ前記トランスファラインの軸に直交して貫通して設けられた第３の吸入孔とを具備したことを特徴とする。
【発明の効果】
【００１３】
本発明の請求項１によれば、次のような効果がある。
冷媒と共にコンタミが侵入するのを防止できるので、コンタミが冷媒移送の妨げとなり移送効率が下がる、または、トランスファラインが閉塞して冷媒移送ができなくなる恐れが無くなるトランスファライン装置が得られる。
【００１４】
本発明の請求項２によれば、次のような効果がある。
コンタミ吸入防止手段は、トランスファラインの一端に一端が接続された吸入ブロックと、コンタミの滞留位置より上部の吸入ブロックに水平に貫通して設けられた第１の吸入孔と、第１の吸入孔の途中に一端が接続され他端がトランスファラインに連通する第２の吸入孔とが設けられたので、吸入ブロックを取り替えて、吸入位置と吸入量とを容易に替えることができるトランスファライン装置が得られる。
【００１５】
本発明の請求項３によれば、次のような効果がある。
コンタミ吸入防止手段は、トランスファラインの一端に設けられ吸入を封止する封止ブロックと、コンタミの滞留位置より上部のトランスファラインの一端側に設けられトランスファラインの軸に直交して貫通して設けられた第３の吸入孔とが設けられたので、トランスファラインに、直接にコンタミ吸入防止手段が設けられたので、装置を安価にできるトランスファライン装置が得られる。
【図面の簡単な説明】
【００１６】
【図１】本発明の一実施例の要部構成説明図である。
【図２】本発明の他の実施例の要部構成説明図である。
【図３】従来より一般に使用されている従来例の構成説明図である。
【発明を実施するための形態】
【００１７】
以下本発明を図面を用いて詳細に説明する。
図１は本発明の一実施例の要部構成説明図である。
図において、図３と同一記号の構成は同一機能を表す。
以下、図３との相違部分のみ説明する。
【００１８】
図１において、コンタミ吸入防止手段２１は、トランスファライン１０に設けられ、コンタミＡの滞留位置より上部に吸入口を有して、コンタミＡのトランスファライン１０への吸入を防止する。
【００１９】
この場合は、コンタミ吸入防止手段２１は、延長管１１３の一端に、一端が接続された吸入ブロック２１１と、コンタミＡの滞留位置より上部の吸入ブロック２１１に水平に貫通して設けられた第１の吸入孔２１２と、第１の吸入孔２１２の途中に一端が接続され、他端がトランスファライン１０に連通する第２の吸入孔２１３とを有する。
【００２０】
以上の構成において、第１の吸入孔２１２が、コンタミＡより高い位置で横向きについており、吸入ブロック２１１をコンテナ１３の底部に付けても、冷媒１２と一緒にコンタミＡが延長管１１３に入って来ない。
【００２１】
この結果、冷媒１２と共にコンタミＡが侵入するのを防止できるので、コンタミＡが冷媒移送の妨げとなり移送効率が下がる、または、トランスファライン１０が閉塞して冷媒移送ができなくなる恐れが無くなるトランスファライン装置が得られる。
【００２２】
コンタミ吸入防止手段２１は、延長管１１３の一端に一端が接続された吸入ブロック２１１と、コンタミＡの滞留位置より上部の吸入ブロック２１１に水平に貫通して設けられた第１の吸入孔２１２と、第１の吸入孔２１２の途中に一端が接続され他端が延長管１１３に連通する第２の吸入孔２１３とが設けられたので、吸入ブロック２１１を取り替えて、吸入位置と吸入量とを容易に替えることができるトランスファライン装置が得られる。
【００２３】
図２は、本発明の他の実施例の要部構成説明図である。
図２において、コンタミ吸入防止手段３１は、トランスファライン１０の一端に設けられ吸入を封止する封止ブロック３１１と、コンタミＡの滞留位置より上部の、トランスファライン１０の一端側に設けられ、トランスファライン１０の軸に直交して貫通して設けられた第３の吸入孔３１２とを有する。
【００２４】
この結果、コンタミ吸入防止手段３１は、トランスファライン１０の一端に設けられ吸入を封止する封止ブロック３１１と、コンタミＡの滞留位置より上部のトランスファライン１０の一端側に設けられ、トランスファラインの軸に直交して貫通して設けられた第３の吸入孔３１２とが設けられたので、トランスファライン１０に、直接に、コンタミ吸入防止手段３１が設けられたので、装置を安価にできるトランスファライン装置が得られる。
【００２５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２６】
１０    トランスファライン
１１    コンテナ側トランスファライン
１１１  外管
１１２  内管
１１３  延長管
１２    冷媒
１３    冷媒コンテナ
１４    デュワ側トランスファライン
１４１  外管
１４２  内管
１５    デュワ
１６    バヨネット
１７    加圧ガス管
１８    排気管
２１    コンタミ吸入防止手段
２１１  吸入ブロック
２１２  第１の吸入孔
２１３  第２の吸入孔
３１    コンタミ吸入防止手段
３１１  封止ブロック
３１２  第３の吸入孔
Ａ      コンタミ
【図１】
2010235182.tif 000003
【図２】
2010235182.tif 000004
【図３】
2010235182.tif 000005